【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを管理する管理装置であって、
前記ゲートウェイ装置，前記第１の装置，および前記第２の装置から、（ｉ）装置種別を示す情報と、接続インタフェースの種別を示す情報と、装置を特定するための装置特定情報と、を含む構成情報と、（ｉｉ）前記各装置に接続されている装置を特定するための接続装置特定情報と、を取得する構成情報取得部と、
前記ゲートウェイ装置および前記第１の装置における機能であって、前記管理装置から起動させることが可能な遠隔起動機能を特定する機能特定部と、
表示部と、
前記表示部に、前記取得された構成情報および接続装置特定情報に基づき、前記ゲートウェイ装置のシンボル，前記第１の装置のシンボル，および前記第２の装置のシンボルを含む接続構成マップであって、前記ゲートウェイ装置，前記第１の装置，前記第２の装置の間の接続態様に合致するように前記各シンボルが互いに接続され、前記第１の装置のシンボルが前記第２の装置のシンボルに比べて前記ゲートウェイ装置のシンボルにより近い位置に配置され、前記ゲートウェイ装置，前記第１の装置，および前記第２の装置がそれぞれ有する前記接続インタフェースが判別でき、前記特定された遠隔起動機能を起動させるためのボタンが前記遠隔起動機能を有する前記装置のシンボルに対応付けて示された接続構成マップを表示させるマップ表示制御部と、
を備える、管理装置。
【請求項２】
請求項１に記載の管理装置において、
前記機能特定部は、前記ゲートウェイ装置および前記第１の装置に加えて、前記第１の装置との間の前記接続インタフェースがネットワークインタフェースである前記第２の装置における前記遠隔起動機能を特定する、管理装置。
【請求項３】
請求項２に記載の管理装置において、さらに、
前記ゲートウェイ装置，前記第１の装置，および前記第２の装置に対してそれぞれ所定のパケットを送信し、前記ゲートウェイ装置，前記第１の装置，および前記第２の装置から、前記所定のパケットに対する応答パケットを受信する機能試験部を備え、
前記機能特定部は、前記受信された各応答パケットに基づき、前記遠隔起動機能を特定する、管理装置。
【請求項４】
請求項３に記載の管理装置において、
前記遠隔起動機能は、ＴＣＰまたはＵＤＰにおける所定のポートを用いてデータを送受信する機能であり、
前記所定のパケット及び前記応答パケットは、前記所定のポートを用いて送受信される、管理装置。
【請求項５】
請求項２ないし請求項４のいずれかに記載の管理装置において、
前記マップ表示制御部は、前記ゲートウェイ装置，前記第１の装置，および前記第２の装置の少なくとも１つについて前記遠隔起動機能が複数存在する場合、前記特定された複数の遠隔起動機能のうち予め定められた優先順位の高い一部の前記遠隔起動機能を起動させるためのボタンのみが示された前記接続構成マップを、前記表示部に表示させる、管理装置。
【請求項６】
請求項２ないし請求項４のいずれかに記載の管理装置において、さらに、
前記管理装置において、少なくとも前記ゲートウェイ装置および前記第１の装置のそれぞれに対して実行された前記遠隔起動機能の実行履歴を記録する履歴記録部を備え、
前記マップ表示制御部は、前記履歴記録部に記録された前記実行履歴に基づき、前記特定された遠隔起動機能のうち、利用頻度の高い一部の処理についてのみ、前記遠隔起動機能を起動させるためのボタンのみが示された前記接続構成マップを、前記表示部に表示させる、管理装置。
【請求項７】
請求項５または請求項６に記載の管理装置において、
前記マップ表示制御部は、前記特定された遠隔起動機能のリストを表示させるためのリスト表示ボタンが前記遠隔起動機能を有する前記装置のシンボルに対応付けて示された前記接続構成マップを表示させる、管理装置。
【請求項８】
請求項２ないし請求項７のいずれかに記載の管理装置において、
前記遠隔起動機能は、各装置用の設定画面を前記表示部に表示させる機能と、前記ゲートウェイ装置，前記第１の装置，および前記第２の装置のうち、少なくとも１つが有する記憶装置に格納されている電子ファイルのリストを前記表示部に表示させる機能とのうち、少なくとも一方を含む、管理装置。
【請求項９】
請求項１に記載の管理装置において、
前記構成情報取得部は、前記第１の装置との間の前記接続インタフェースがバスインタフェースである前記第２の装置から前記構成情報および前記接続装置特定情報を取得した前記第１の装置から、前記第２の装置の有する前記構成情報及び前記接続装置特定情報を取得する、管理装置。
【請求項１０】
請求項１から請求項９までのいずれか一項に記載の管理装置において、
前記ゲートウェイ装置は、無線ＬＡＮアクセスポイントとして構成されている、管理装置。
【請求項１１】
ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを、表示部を有する管理装置を用いて管理する方法であって、
（ａ）前記管理装置において、前記ゲートウェイ装置，前記第１の装置，および前記第２の装置から、（ｉ）装置種別を示す情報と、接続インタフェースの種別を示す情報と、装置を特定するための装置特定情報と、を含む構成情報と、（ｉｉ）前記各装置に接続されている装置を特定するための接続装置特定情報と、を取得する工程と、
（ｂ）前記管理装置において、前記ゲートウェイ装置および前記第１の装置における機能であって、前記管理装置から起動させることが可能な遠隔起動機能を特定する工程と、
（ｃ）前記管理装置において、前記表示部に、前記取得された構成情報および接続装置特定情報に基づき、前記ゲートウェイ装置のシンボル，前記第１の装置のシンボル，および前記第２の装置のシンボルを含む接続構成マップであって、前記ゲートウェイ装置，前記第１の装置，前記第２の装置の間の接続態様に合致するように前記各シンボルが互いに接続され、前記第１の装置のシンボルが前記第２の装置のシンボルに比べて前記ゲートウェイ装置のシンボルにより近い位置に配置され、前記ゲートウェイ装置，前記第１の装置，および前記第２の装置がそれぞれ有する前記接続インタフェースが判別でき、前記特定された遠隔起動機能を起動させるためのボタンが前記遠隔起動機能を有する前記装置のシンボルに対応付けて示された接続構成マップを表示させる工程と、
を備える、方法。
【請求項１２】
ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを、表示部を有する管理装置を用いて管理するためのプログラムであって、
（ａ）前記管理装置において、前記ゲートウェイ装置，前記第１の装置，および前記第２の装置から、（ｉ）装置種別を示す情報と、接続インタフェースの種別を示す情報と、装置を特定するための装置特定情報と、を含む構成情報と、（ｉｉ）前記各装置に接続されている装置を特定するための接続装置特定情報と、を取得する機能と、
（ｂ）前記管理装置において、前記ゲートウェイ装置および前記第１の装置における機能であって、前記管理装置から起動させることが可能な遠隔起動機能を特定する機能と、
（ｃ）前記管理装置において、前記表示部に、前記取得された構成情報および接続装置特定情報に基づき、前記ゲートウェイ装置のシンボル，前記第１の装置のシンボル，および前記第２の装置のシンボルを含む接続構成マップであって、前記ゲートウェイ装置，前記第１の装置，前記第２の装置の間の接続態様に合致するように前記各シンボルが互いに接続され、前記第１の装置のシンボルが前記第２の装置のシンボルに比べて前記ゲートウェイ装置のシンボルにより近い位置に配置され、前記ゲートウェイ装置，前記第１の装置，および前記第２の装置がそれぞれ有する前記接続インタフェースが判別でき、前記特定された遠隔起動機能を起動させるためのボタンが前記遠隔起動機能を有する前記装置のシンボルに対応付けて示された接続構成マップを表示させる機能と、
を前記管理装置が有するコンピュータに実現させる、プログラム。
【請求項１３】
請求項１２に記載のプログラムを記録したコンピュータ読み取り可能な記録媒体。
【手続補正２】
【補正対象書類名】明細書
【補正対象項目名】０００７
【補正方法】変更
【補正の内容】
【０００７】
本発明は、上述の課題の少なくとも一部を解決するためになされたものであり、以下の形態又は適用例として実現することが可能である。
[形態１]  ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを管理する管理装置であって、
前記ゲートウェイ装置，前記第１の装置，および前記第２の装置から、（ｉ）装置種別を示す情報と、接続インタフェースの種別を示す情報と、装置を特定するための装置特定情報と、を含む構成情報と、（ｉｉ）前記各装置に接続されている装置を特定するための接続装置特定情報と、を取得する構成情報取得部と、
前記ゲートウェイ装置および前記第１の装置における機能であって、前記管理装置から起動させることが可能な遠隔起動機能を特定する機能特定部と、
表示部と、
前記表示部に、前記取得された構成情報および接続装置特定情報に基づき、前記ゲートウェイ装置のシンボル，前記第１の装置のシンボル，および前記第２の装置のシンボルを含む接続構成マップであって、前記ゲートウェイ装置，前記第１の装置，前記第２の装置の間の接続態様に合致するように前記各シンボルが互いに接続され、前記第１の装置のシンボルが前記第２の装置のシンボルに比べて前記ゲートウェイ装置のシンボルにより近い位置に配置され、前記ゲートウェイ装置，前記第１の装置，および前記第２の装置がそれぞれ有する前記接続インタフェースが判別でき、前記特定された遠隔起動機能を起動させるためのボタンが前記遠隔起動機能を有する前記装置のシンボルに対応付けて示された接続構成マップを表示させるマップ表示制御部と、
を備える、管理装置。
【手続補正３】
【補正対象書類名】明細書
【補正対象項目名】０００８
【補正方法】変更
【補正の内容】
【０００８】
［適用例１］ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを管理する管理装置であって、
構成情報取得部であって、前記ゲートウェイ装置，前記第１の装置，および前記第２の装置から、それぞれ、
装置種別を示す情報と、接続インタフェースの種別を示す情報と、装置を特定するための装置特定情報と、を含む構成情報と、
接続されている装置を特定するための接続装置特定情報と、を取得する構成情報取得部と、
前記ゲートウェイ装置，前記第１の装置，および前記第２の装置のうち、少なくとも前記ゲートウェイ装置および前記第１の装置おける機能であって、前記管理装置から起動させることが可能な機能である遠隔起動機能を特定する機能特定部と、
表示部と、
前記表示部に、前記ゲートウェイ装置，前記第１の装置，および前記第２の装置の接続構成を示す接続構成マップを、前記取得された構成情報及び接続装置特定情報に基づき表示させるマップ表示制御部であって、
前記表示部において、前記第１の装置のシンボルを前記第２の装置のシンボルに比べて前記ゲートウェイ装置のシンボルにより近い位置に配置し、
前記表示部において、前記ゲートウェイ装置，前記第１の装置，および前記第２の装置がそれぞれ有する前記接続インタフェースを判別可能に、前記ゲートウェイ装置のシンボル，前記第１の装置のシンボル，および前記第２の装置のシンボルを、前記ゲートウェイ装置，前記第１の装置，前記第２の装置の接続態様に合致するように互いに接続して表示し、
前記表示部において、前記ゲートウェイ装置のシンボル，前記第１の装置のシンボル，および前記第２の装置のシンボルのうち、少なくとも前記ゲートウェイ装置のシンボルおよび前記第１の装置のシンボルに、それぞれ対応付けて、各シンボルの表わす装置に関して前記特定された遠隔起動機能を起動させるためのボタンを表示させる、マップ表示制御部と、
を備える、管理装置。
【手続補正４】
【補正対象書類名】明細書
【補正対象項目名】００５６
【補正方法】変更
【補正の内容】
【００５６】
ＥＥＰＲＯＭ１２２は、構成情報格納部Ｓ１と、配下装置リスト格納部Ｓ２とを備えている。構成情報格納部Ｓ１は、自らの構成情報に加えて、他の装置から取得した構成情報を格納する。自らの構成情報としては、例えば、ルータとしての装置名、内蔵するハードディスク１２６の残容量、無線ＬＡＮにより接続された各装置からの受信信号強度、ルータ１００が有する各インタフェース種別（無線ＬＡＮ，有線ＬＡＮ，ＷＨＤＩ，ＵＳＢ）、各回路の動作状態（通常動作，無線接続中など）、無線ＬＡＮのアソシエーションリストなどが挙げられる。これらの各情報は、ルータ１００の起動時やＵＳＢデバイスが接続された際に、各インタフェースで規定されている初期化シーケンス（例えば、ＵＳＢのエニュメレーション）において取得され得る。また、これらの各情報は、後述の構成情報収集処理においても取得される。配下装置リスト格納部Ｓ２は、後述する配下装置リストを格納する。
【手続補正５】
【補正対象書類名】明細書
【補正対象項目名】００６７
【補正方法】変更
【補正の内容】
【００６７】
メモリ３１は、図示しないＲＡＭやＥＥＰＲＯＭから成り、構成情報格納部３２を備えている。構成情報格納部３２は、デバイスサーバ３３１自身の構成情報及びデバイスサーバ３３１に接続されている装置についての構成情報を格納する。図４の例では、構成情報格納部３２には、デバイスサーバ３３１自身の構成情報の一部として、装置種別「デバイスサーバ」，装置名「ＤＳ」，ＭＡＣアドレス「ＭＡ５」，ＩＰアドレス「ＩＰ５」，動作状態「使用中」が格納されている。また、構成情報格納部３２には、デバイスサーバ３３１に接続されているテレビチューナ３４１についての構成情報（装置種別「テレビチューナ」，装置名「Ｔ２」，接続インタフェース種別「ＵＳＢ２．０」）が格納されている。
【手続補正６】
【補正対象書類名】明細書
【補正対象項目名】００７１
【補正方法】変更
【補正の内容】
【００７１】
以上の構成を有するシステム５００では、後述する構成情報収集処理を実行することにより、ユーザは、システム５００を構成する各装置の接続構成及び動作状態を容易に管理することができる。なお、ルータ１００は、請求項におけるゲートウェイ装置に相当する。また、各装置の装置名は請求項における装置特定情報に、管理用ＰＣ３０３の構成情報取得部１１ａは請求項における構成情報取得部に、ユーザインタフェース制御部１１ｃ及びディスプレイ２１は請求項における表示部に、マップ生成部１１ｂおよびユーザインタフェース制御部１１ｃは請求項におけるマップ表示制御部に、それぞれ相当する。
【手続補正７】
【補正対象書類名】明細書
【補正対象項目名】００８７
【補正方法】変更
【補正の内容】
【００８７】
このように、本実施例では、すべての配下装置がさらなる配下装置であって構成情報が未収集である配下装置を有しなくなるまで、ステップＳ１１０，Ｓ１１５の処理が繰り返し実行されることとなる。ここで、パーソナルコンピュータ３１１は、無線ＬＡＮアクセスポイント３０４の配下装置であると共に、マウス３１３を配下装置として有する装置でもある。したがって、無線ＬＡＮアクセスポイント３０４とパーソナルコンピュータ３１１との組み合わせ（ペア）では、無線ＬＡＮアクセスポイント３０４が請求項における第１の装置に、パーソナルコンピュータ３１１が請求項における第２の装置（前回の第２の装置）に、それぞれ相当し、パーソナルコンピュータ３１１とマウス３１３とのペアでは、パーソナルコンピュータ３１１は請求項における第１の装置（今回の第１の装置）に、マウス３１３は請求項における第２の装置（今回の第２の装置）に、それぞれ相当する。このような２つの装置のペアリングが順次スライドすることによって前回の第２の装置が次回の第１の装置となる処理は、各請求項における射程範囲に含まれる。
【手続補正８】
【補正対象書類名】明細書
【補正対象項目名】００８９
【補正方法】変更
【補正の内容】
【００８９】
図５に示すように、ステップＳ１１０において、構成情報が未収集である配下装置が配下装置リスト中にない場合には（ステップＳ１１０：ＮＯ）、管理用ＰＣ３０３のマップ生成部１１ｂは、マップ作成処理を実行し、既に受信しているルータ１００の構成情報及び配下装置リストに基づき、システム構成マップを作成する（ステップＳ１２０）。管理用ＰＣ３０３において、ユーザインタフェース制御部１１ｃは、ステップＳ１２０において作成されたシステム構成マップを、ディスプレイ２１に表示する（ステップＳ１２５）。
【手続補正９】
【補正対象書類名】明細書
【補正対象項目名】０１０３
【補正方法】変更
【補正の内容】
【０１０３】
図１１は、図９に示すステップＳ９１５，Ｓ９２０の処理後のシステム構成マップを示す説明図である。図１１において、左側は、ステップＳ９１５実行後のシステム構成マップを示し、右側は、ステップＳ９２０実行後のシステム構成マップを示す。なお、図１１左側は、図１０右側と同じである。図１１右側に示すように、ステップＳ９２０実行後には、各装置間を接続するラインが接続インタフェースごとに異なる線種として表わされている。
【手続補正１０】
【補正対象書類名】明細書
【補正対象項目名】０１０５
【補正方法】変更
【補正の内容】
【０１０５】
図１２は、図９に示すステップＳ９２０，Ｓ９２５の処理後のシステム構成マップを示す説明図である。図１２において、左側は、ステップＳ９２０実行後のシステム構成マップを示し、右側は、ステップＳ９２５実行後のシステム構成マップを示す。なお、図１２右側は、図１１左側と同じである。また、図１２右側は、図８に示すシステム構成マップｍ１の接続態様表示領域ＡＲ１の表示内容と一致している。図１２左側（図１１右側）に示すように、ステップＳ９２０実行後には、ルータ１００との接続インタフェースが異なる装置同士が隣り合って配置されているが、ステップＳ９２５実行後には、ルータ１００との接続インタフェースごとに、まとめられ配置されている。
ステップＳ９２５の実行後、マップ生成部１１ｂは、システム５００を構成する各装置の動作状態を示す情報を、動作状態表示領域ＡＲ２中であって、接続態様表示領域ＡＲ１に表示された各装置を表すシンボルに対応する位置に、表示する。「各装置を表すシンボルに対応する位置」とは、具体的には、接続態様表示領域ＡＲ１に表示された各装置のシンボルの横、すなわち水平方向に並ぶ位置である（ステップＳ９３０）。
【手続補正１１】
【補正対象書類名】明細書
【補正対象項目名】０１０６
【補正方法】変更
【補正の内容】
【０１０６】
以上説明したように、システム５００において、管理用ＰＣ３０３は、ルータ１００に直接接続されていない装置（例えば、テレビチューナ３４１）の構成情報を、かかる装置及びルータ１００に直接接続されている装置（例えば、デバイスサーバ３３１）を介して間接的に取得するようにしているので、ルータ１００に直接接続するためのインタフェースに限らず、様々なインタフェースで接続された複数の装置を容易に管理することができる。また、管理用ＰＣ３０３により各装置を一元的に管理することができるので、各接続インタフェース種別ごとに管理装置（管理用ソフトウェア）を用意することを要しない。したがって、システム５００の構築費用を抑えることができると共に、ユーザは、複数の管理装置（管理用ソフトウェア）の使用方法を覚えなくて済むため、家庭や小規模の企業などに容易に導入することができる。
【手続補正１２】
【補正対象書類名】明細書
【補正対象項目名】発明の名称
【補正方法】変更
【補正の内容】
【発明の名称】管理装置、管理方法、プログラムおよび記録媒体
【手続補正１３】
【補正対象書類名】図面
【補正対象項目名】図５
【補正方法】変更
【補正の内容】
【図５】
2012221186.tif 000001
【手続補正１４】
【補正対象書類名】図面
【補正対象項目名】図８
【補正方法】変更
【補正の内容】
【図８】
2012221186.tif 000002
【手続補正１５】
【補正対象書類名】図面
【補正対象項目名】図２４
【補正方法】変更
【補正の内容】
【図２４】
2012221186.tif 000003
【手続補正１６】
【補正対象書類名】図面
【補正対象項目名】図２９
【補正方法】変更
【補正の内容】
【図２９】
2012221186.tif 000004